(57)【要約】【課題】スペース効率、実装自由度向上を図った鍵盤装置を提供する。【解決手段】白鍵ユニットの鍵支持部１３が嵌合孔１５を有し、黒鍵ユニットの鍵支持部１３が第１ネジ孔１６を有する。鍵フレームに設けた鍵取付部２２Ａが、鍵支持部１３に向かって突出するボス２１と、ボス２１上に設けられた第２ネジ孔２１Ａを有する。白鍵ユニットの嵌合孔１５にボス２１が挿入するように、白鍵ユニットの鍵支持部１３を鍵取付部２２Ａ上に重ねる。さらに白鍵ユニットの鍵支持部１３の上に黒鍵ユニットの鍵支持部１３を重ねて、第１ネジ孔１６及び第２ネジ孔２１Ａの両者にネジＮを挿入して、鍵支持部１３と鍵取付部２２Ａとを固着する。【選択図】図３
2009014817.tif 000002
【特許請求の範囲】
【請求項１】
鍵本体と前記鍵本体を支持する鍵支持部と前記鍵本体を前記鍵支持部に押離鍵方向に揺動可能に接続する接続部とが樹脂で一体に設けられた鍵ユニットと、上面に前記鍵支持部を固着する鍵取付部が設けられた鍵フレームと、を備えた鍵盤装置において、
前記鍵支持部が、第１孔を有し、
前記鍵取付部が、前記上面に設けられた前記鍵支持部に向かって突出する突起と、前記突起上に設けられた第２孔を有し、
前記第１孔及び前記第２孔の両者に固着手段を挿入して、前記鍵支持部と前記鍵取付部とを固着することを特徴とする鍵盤装置。
【請求項２】
前記鍵フレーム及び前記鍵支持部がそれぞれ、前記鍵フレームへの前記鍵ユニット取付時に互いに係合する係合部を有し、
前記鍵フレーム及び前記鍵支持部の係合部が、前記鍵取付部よりも上側に設けられていることを特徴とする請求項１に記載の鍵盤装置。
【請求項３】
前記鍵ユニットが、鍵並び方向に複数並べて設けられ、
前記鍵フレームが、互いに隣り合う前記鍵ユニット間の前記鍵支持部及び前記接続部間に生じる隙間に配置される補強リブを有することを特徴とする請求項１又は２記載の鍵盤装置。
【発明の詳細な説明】
【技術分野】
【０００１】
本発明は、鍵盤装置に係り、特に、鍵本体、前記鍵本体を支持する鍵支持部及び前記鍵本体を前記鍵支持部に押離鍵方向に揺動可能に接続する接続部を樹脂で一体に設けられた鍵ユニットと、上面に前記鍵支持部を固着する鍵取付部が設けられた鍵フレームと、を備えた鍵盤装置に関するものである。
【背景技術】
【０００２】
上述した鍵盤装置として、図１２に示すようなものが提案されている（例えば特許文献１）。同図に示すように、鍵盤装置は、鍵ユニットとしての白鍵ユニット１０及び黒鍵ユニット１１と、鍵フレーム２０と、を有している。上記白鍵ユニット１０及び黒鍵ユニット１１は各々、押鍵操作される鍵本体１２と、鍵本体１２の前後方向Ｙ１の演奏者から離れた側の端部を支持する鍵支持部１３と、鍵本体１２を鍵支持部１３に押離鍵方向Ｙ２に揺動可能に接続する接続部１４とが樹脂で一体に設けられている。
【０００３】
上記白鍵ユニット１０及び黒鍵ユニット１１の鍵支持部１３にはそれぞれ、鍵フレーム２０に取り付けるためのネジＮが挿入される第１ネジ孔１６が設けられている。また、黒鍵ユニット１１の鍵支持部１３の演奏者から離れた側には、下側に向かって突出するアーム部１３Ａと、このアーム部１３Ａの下端に設けられた演奏者から離れた側に向かって突起する第１係合部１３Ｂと、が設けられている。
【０００４】
上記鍵フレーム２０は、上面部２２と、第１補強リブ２３とを有している。上面部２２は、押離鍵方向Ｙ２に対して略垂直な板状に設けられている。上面部２２の前後方向Ｙ１の演奏者から離れた側には、上記鍵支持部１３を固着する鍵取付部２２Ａが設けられている。
【０００５】
この鍵取付部２２Ａには、下側に向かって突出するボス２１が設けられていて、そのボス２１に第２ネジ孔２１Ａが設けられている。この第２ネジ孔２１Ａには、ネジＮが螺合するネジ溝が設けられている。また、鍵取付部２２Ａよりも演奏者から離れた側の上面部２２には、第１係合部１３Ｂを挿入する挿入孔２９が設けられている。上記第１補強リブ２３は、上面部２２の下側に設けられていて、力がかかり脆弱な鍵取付部２２Ａを補強するリブである。
【０００６】
次に、上述した構成の白鍵ユニット１０及び黒鍵ユニット１１の鍵フレーム２０に対する取り付けについて説明する。まず、２つの白鍵ユニット１０の鍵支持部１３同士を、鍵支持部１３に設けた第１ネジ孔１６同士が重なるように、重ね合わせる。その上側にさらに黒鍵ユニット１１の鍵支持部１３を、第１ネジ孔１６同士が重なるように、重ね合わせる。
【０００７】
そして、２つの白鍵ユニット１０の鍵支持部１３と１つの黒鍵ユニット１１の鍵支持部１３とを重ねた状態で、黒鍵ユニット１１の第１係合部１３Ｂを挿入孔２９に挿入する。これにより、第１係合部１３Ｂと挿入孔２９の演奏者から離れた側の縁部である第２係合部２７Ａとが係合して、白鍵ユニット１０及び黒鍵ユニット１１とが鍵フレーム２０に仮止めされる。この仮止め状態で、白鍵ユニット１０及び黒鍵ユニット１１の鍵支持部１３に設けた第１ネジ孔１６と、鍵フレーム２０に設けた第２ネジ孔２１Ａとが重なる。次に、ネジＮを第１ネジ孔１６に挿入すると共に、第２ネジ孔２１Ａに螺合させて、白鍵ユニット１０及び黒鍵ユニット１１の鍵支持部１３を鍵フレーム２０の鍵取付部２２Ａに固着する。
【０００８】
しかしながら、図１２に示す従来の構成では、鍵フレーム２０の鍵取付部２２Ａに下側にボス２１が突出して設けられているため、鍵取付部２２Ａの下側に、ハンマー、基板、クッション、スピーカなどの部品を実装しようとすると、その実装に制限が付いてしまい、スペース効率、実装自由度を下げてしまう、という問題があった。さらに、ネジＮについては、鍵支持部１３及び鍵フレーム２０の両方に設けた第１ネジ孔１６、第２ネジ孔２１Ａに挿入するため、通常よりも長いネジＮを使用する必要があり、ネジＮの共通化による生産効率向上の妨げとなる、という問題点があった。
【０００９】
また、図１２に示す従来の構成では、鍵取付部２２Ａよりも下側に第１係合部１３Ｂが突起するため、この第１係合部１３Ｂによってもスペース効率、実装自由度を下げてしまう、という問題があった。
【００１０】
また、図１２に示す従来の構成では、鍵取付部２２Ａの下側に第１補強リブ２３が突出して設けられているため、この第１補強リブ２３によってもスペース効率、実装自由度を下げてしまう、という問題点があった。
【特許文献１】特許第３０８２６９６号
【発明の開示】
【発明が解決しようとする課題】
【００１１】
そこで、本発明は、上記のような問題点に着目し、スペース効率、実装自由度向上を図った鍵盤装置を提供することを課題とする。
【課題を解決するための手段】
【００１２】
上記課題を解決するためになされた請求項１記載の発明は、鍵ユニット１０、１１の鍵支持部１３を、鍵フレーム２０に設けた鍵取付部２２Ａに固着するようにした鍵盤装置１００において、前記鍵支持部１３が、第１孔１６を有し、前記鍵取付部２２Ａが、前記鍵支持部１３に向かって突出する突起２１と、前記突起２１上に設けられた第２孔２１Ａを有し、前記第１孔１６及び前記第２孔２１Ａの両者に固着手段Ｎを挿入して、前記鍵支持部１３と前記鍵取付部２２Ａとを固着する。
【００１３】
請求項２記載の発明は、前記鍵フレーム２０及び前記鍵支持部１３がそれぞれ、前記鍵フレーム２０への前記鍵ユニット１０、１１取付時に互いに係合する係合部１３Ｂ、２７Ａを有し、前記鍵フレーム２０及び前記鍵支持部１３の係合部１３Ｂ、２７Ａが、前記鍵取付部２２Ａよりも上側に設けられている。
【００１４】
請求項３記載の発明は、前記鍵ユニット１０、１１が、鍵並び方向Ｙ３に複数並べて設けられ、前記鍵フレーム２０が、互いに隣り合う前記鍵ユニット１０、１１間の前記鍵支持部１３及び前記接続部１４間に生じる隙間Ｓに配置される補強リブ２４を有する。
【発明の効果】
【００１５】
以上説明したように請求項１記載の発明によれば、鍵支持部に向かって突出する突起を鍵取付部に設けて、その突起に固定手段を挿入する第２孔を設けたので、鍵取付部の下側にボスが突起することがなく、スペース効率、実装自由度の向上を図ることができる。
【００１６】
請求項２記載の発明によれば、鍵フレーム及び鍵支持部の係合部が、鍵取付部よりも上側に設けられているので、鍵取付部の下側に鍵支持部の係合部が位置することがなく、より一層、スペース効率、実装自由度の向上を図ることができる。
【００１７】
請求項３記載の発明によれば、補強リブが互いに隣り合う鍵ユニット間の鍵支持部及び接続部間に生じる隙間に配置されるので、補強リブが鍵取付部の下側に突出することがなく、より一層、スペース効率、実装自由度の向上を図ることができる。
【発明を実施するための最良の形態】
【００１８】
第１実施形態
以下、本発明の第１実施形態を図面に基づいて説明する。図１は、本発明の鍵盤装置１００の第１実施形態を示す断面図である。図２は、図１に示す鍵盤装置１００のパネル３０を除いた状態での上面図である。図３は、図１に示す鍵盤装置１００の鍵支持部１３及び鍵取付部２２Ａ付近の部分拡大図である。
【００１９】
鍵盤装置１００は、例えば電子鍵盤楽器であり、鍵ユニットとしての白鍵ユニット１０及び黒鍵ユニット１１と、例えば硬質の合成樹脂等で形成された鍵フレーム２０と、ハンマーユニット４０と、を備え、この鍵盤装置１００の上方かつ後方にパネル３０が設けられている。
【００２０】
上記白鍵ユニット１０及び黒鍵ユニット１１は各々、押鍵操作が行われる鍵本体１２と、鍵本体１２の前後方向Ｙ１の演奏者から離れた側（鍵後方）を支持する鍵支持部１３と、鍵本体１２を鍵支持部１３に押離鍵方向Ｙ２に揺動可能に接続する接続部１４とが樹脂で一体に設けられている。
【００２１】
上記鍵本体１２は、後端部にストッパ突起１２Ｇが設けられている。このストッパ突起１２Ｇは、鍵本体１２が力強く押されるか、幼児が鍵本体１２上に乗るかした場合に、ヒンジ構造の接続部１４の折れを防ぐために設けられている。上記鍵支持部１３は、図２に示すように、長尺状に設けられ、その長手方向が鍵並び方向Ｙ３に沿って設けられ、各鍵ユニット１０、１１が共通に支持された鍵共通基端部として設けられている。鍵支持部１３は各々、図３に示すように、上側に位置決め凸部１３Ｃが設けられ、下側に位置決め凹部１３Ｄが設けられている。そして、上記位置決め凸部１３Ｃ及び位置決め凹部１３Ｄは、複数の鍵支持部１３を押離鍵方向Ｙ２に重ねると下側の鍵支持部１３の位置決め凸部１３Ｃが上側の鍵支持部１３の位置決め凹部１３Ｄに嵌め込まれるように設けられている。この位置決め凸部１３Ｃ及び位置決め凹部１３Ｄにより鍵支持部１３同士の位置決めが容易に行える。上記接続部１４は、図１に示すように、鍵本体１２−鍵支持部１３間に設けられ、薄肉に設けて弾性を持たしてあり、いわゆるヒンジ構造を構成している。
【００２２】
鍵盤装置１００は、１オクターブ毎に２つの白鍵ユニット１０と、１つの黒鍵ユニット１１とが設けられている。２つの白鍵ユニット１０の一つは、一つの鍵支持部１３によってＤ、Ｆ、Ａの各音の３個の鍵本体１２が支持されている。２つの白鍵ユニット１０の残り一つは、一つの鍵支持部１３によってＣ、Ｅ、Ｇ、Ｂの各音の４個の鍵本体１２が支持されている。黒鍵ユニット１１は、一つの鍵支持部１３によりＣ♯、Ｄ♯、Ｆ♯、Ｇ♯、Ａ♯の５個の鍵本体１２が支持されている。
【００２３】
これら２つの白鍵ユニット１０及び１つの黒鍵ユニット１１は、その鍵支持部１３が互いに押離鍵方向Ｙ２に重ねられて、１オクターブの鍵盤を構成する。そして、この１オクターブの鍵盤が鍵並び方向Ｙ３に複数並べて設けられている。また、Ｃ音及びＢ音用の鍵本体１２には、鍵並び方向Ｙ３に隣り合う白鍵ユニット１０、１０の鍵支持部１３及び接続部１４間に生じる隙間Ｓを前後方向Ｙ１の演奏者側に延長するための切欠部１２Ｅ、１２Ｆが設けられている。上記鍵支持部１３、接続部１４及び切欠部１２Ｅ、１２Ｆは、上側に設けられたパネル３０により覆われていて、正面からは見えないようになっている。
【００２４】
上記白鍵ユニット１０には各々、図３に示すように、鍵フレーム２０に設けられた後述するボス２１が嵌め込まれる嵌合孔１５が設けられている。一方、黒鍵ユニット１１には、上記嵌合孔１５よりも小さい固着手段としてのネジＮが挿入される第１ネジ孔１６が設けられている。これらの嵌合孔１５及びネジ孔１６の何れか又はその両孔は、請求項１記載の第１孔に対応するものである。
【００２５】
上記鍵フレーム２０は、図示しない下ケースに取り付けられている。あるいは、フレーム２０そのものが下ケースを構成することもある。この鍵フレーム２０には、上面部２２と、上面部２２の下方に前後方向Ｙ１に一体に形成された第１補強リブ２３と、上面部２２の上方に形成された第２補強リブ２４と、前方部２５と、第３補強リブ２６と、が樹脂で一体に設けられている。上記上面部２２は、押離鍵方向Ｙ２に対して略垂直な板状に設けられていて、前後方向Ｙ１の演奏者から離れた側かつ押離鍵方向Ｙ２の上側に配置されている。上面部２２は、前後方向Ｙ１の演奏者側に近づくに従って下側に近づくテーパ状に設けられている。
【００２６】
上面部２２の前後方向Ｙ１の演奏者から離れた側には、上記鍵支持部１３を固着する鍵取付部２２Ａが設けられている。この鍵取付部２２Ａには、図３に示すように、位置決め凸部２２Ｂと、位置決め凸部２２Ｂ上に設けられたボス２１とが設けられている。位置決め凸部２２Ｂは、鍵取付部２２Ａ上に鍵支持部１３を重ねると鍵支持部１３の位置決め凹部１３Ｄに嵌め込まれるように設けられている。この位置決め凸部２２Ｂ及び位置決め凹部１３Ｄにより鍵支持部１３の鍵取付部２２Ａに対する位置決めが容易に行える。
【００２７】
上述したボス２１は、鍵取付部２２Ａの押離鍵方向Ｙ２の上側、即ち鍵支持部１３に向かって突出して設けられている。このボス２１には、後述するネジＮが挿入される第２孔としての第２ネジ孔２１Ａが設けられている。第２ネジ孔２１Ａには、ネジＮが螺合するネジ溝が設けられている。
【００２８】
上記鍵取付部２２Ａの下面は、鍵並び方向Ｙ３に凹溝２２１を有して平面状に設けられている。そして、鍵取付部２２Ａの下面には、アフタタッチセンサ６０が設けられている。アフタタッチセンサ６０は、通常の押鍵の後にさらに鍵本体１２を押し込んだときの押圧力を検出するセンサであり、圧力に応じて抵抗値が変化する抵抗体パターンが設けられた抵抗体基板と、抵抗体パターンに接続される導体パターンが設けられた導体基板と、フェルトとがこの順に互いに重ねて構成されている。このセンサ６０は、ハンマユニット４０の質量体４１が押鍵時に当接することにより圧接検知されるものである。
【００２９】
上記第１補強リブ２３は、上面部２２の押離鍵方向Ｙ２の下側を支持すると共に上面部２２を補強する。上記第１補強リブ２３は、鍵並び方向Ｙ３に対して略垂直な板状に設けられていて、鍵並び方向Ｙ３に沿って複数（例えばＢ、Ｃ鍵間）並べて配置されている。
【００３０】
上記第２補強リブ２４は、上面部２２を補強するための補強リブである。第２補強リブ２４は、図２に示すように、互いに隣り合う白鍵ユニット１０、１０間の鍵支持部１３、接続部１４及び鍵本体１２間に生じる隙間Ｓに配置されるように、上面部２２から押離鍵方向Ｙ２の上側に向かって突出して設けられている。第２補強リブ２４は、鍵並び方向Ｙ３に対して略垂直な板状に設けられ、鍵並び方向Ｙ３に沿って複数並べて配置される。
【００３１】
上記前方部２５は、前後方向Ｙ１の演奏者側かつ押離鍵方向Ｙ２の下側に設けられていて、断面凹凸状に設けられている。第３補強リブ２６は、前方部２５を補強する。第３補強リブ２６は、鍵並び方向Ｙ３に対して略垂直な板状に設けられ、鍵並び方向Ｙ３に沿って複数並べて配置されている。
【００３２】
上記ハンマーユニット４０は、図１に示すように、前後方向Ｙ１に延びる質量体４１とこの質量体４１の端部を保持する基部４２とで構成され、基部４２の軸４２Ａを支点として鍵フレーム２０における中央凸部２９上方に設けた支点支持部２９Ａに軸支されている。また、基部４２の先端には上下に二股に分かれた連結片４２Ｂが形成されており、鍵本体１２から下側に向かって突出する作用部１２Ａの下端に設けられた連結板１２Ｂが連結片４２Ｂに嵌合し連結されている。
【００３３】
そして、押鍵時に作用部１２Ａが基部４２を押し下げ、ハンマーユニット４０は軸４２Ａを回動中心として図１において反時計回りに回動し、離鍵時に作用部１２Ａが基部４２を押し上げ、ハンマーユニット４０は軸４２Ａを回動中心として図１において時計回りに回動する。これにより、アコースティックピアノのようなタッチ感を実現している。なお、鍵フレーム２０には、後方下端部と後方上端部とにフェルト等のストッパＳＤ、ＳＵが取り付けられており、このストッパＳＤ、ＳＵによりハンマーユニット４０の回動範囲が記載される。
【００３４】
また、白鍵ユニット１０及び黒鍵ユニット１１とハンマーユニット４０との間には、基板５０が配設されており、この基板５０の上側に鍵本体１２の押離鍵によりオン／オフする鍵スイッチ５０Ａが搭載されている。
【００３５】
次に、上述した構成の鍵盤装置１００において、鍵ユニット１０、１１の鍵フレーム２０への取り付けについて説明する。まず、鍵フレーム２０に設けたボス２１に、Ｃ、Ｅ、Ｇ、Ｂの各音の４個の鍵本体１２から成る白鍵ユニット１０及びＤ、Ｆ、Ａの３個の鍵本体１２から成る白鍵ユニット１０の鍵支持部１３に設けた嵌合孔１５をこの順で嵌め込む。
【００３６】
このとき、図３に示すように、下側の白鍵ユニット１０の鍵支持部１３に設けた位置決め凹部１３Ｄに鍵取付部２２Ａに設けた位置決め凸部２２Ｂを嵌め込むと共に、上側の白鍵ユニット１０の鍵支持部１３に設けた位置決め凹部１３Ｄに下側の白鍵ユニット１０の鍵支持部１３に設けた位置決め凸部１３Ｃを嵌め込んで、白鍵ユニット１０を鍵取付部２２Ａに位置決めする。
【００３７】
また、黒鍵ユニット１１の鍵支持部１３に設けた位置決め凹部１３Ｄに上側の白鍵ユニット１０の鍵支持部１３に設けた位置決め凸部１３Ｃを嵌め込むように、白鍵ユニット１０の鍵支持部１３の上側に黒鍵ユニット１１の鍵支持部１３を重ね合わせる。このとき、ボス２１に設けた第２ネジ孔２１Ａと黒鍵ユニット１１に設けた第１ネジ孔１６とが重なる。次に、第１ネジ孔１６及び第２ネジ孔２１Ａの両方にネジＮを挿入して、鍵支持部１３と鍵取付部２２Ａとを固着する。
【００３８】
上述した鍵盤装置１００によれば、鍵支持部１３が、第１ネジ孔１６を有し、鍵取付部２２Ａが、鍵支持部１３に向かって突出するボス２１と、ボス２１上に設けられた第２ネジ孔２１Ａを有し、第１ネジ孔１６及び第２ネジ孔２１Ａの両者にネジＮを挿入して、鍵支持部１３と鍵取付部２２Ａとを固着するので、鍵取付部２２Ａの下側にボス２１が突起することがなく、スペース効率、実装自由度の向上を図ることができる。具体的には、鍵取付部２２Ａの下側にボス２１が突起することがないので、鍵取付部２２Ａの下面を平面にすることができ、例えば図１に示すようにアフタタッチセンサ６０を鍵取付部２２Ａの下面に配設することができる。
【００３９】
また、鍵取付部２２Ａの下側にボス２１が突起することがないので、図１に示すように、鍵取付部２２Ａの下側に質量体４１が配置される場合、ボス２１が質量体４１の揺動範囲を規制することがなく、質量体４１の揺動範囲を大きくすることができる。すなわち、従来と同じ鍵ストローク（作用点の一定の上下移動範囲）に対して、ハンマーユニット４０の軸４２Ａ（支点）の位置を従来よりも演奏者側に近くすることができる。さらに説明すれば、軸４２Ａからハンマーユニット４０の後端部までの長さと軸４２Ａから作用点までの長さの比を大きくできる。これによって、質量体４１を軽くしても、押鍵時の大きな質量感（手ごたえ感）を得ることができ、質量体４１付きの鍵盤装置１００を軽くすることができる。
【００４０】
また、上述した鍵盤装置１００によれば、図３に示すように、白鍵ユニット１０の鍵支持部１３にボス２１に嵌合する嵌合孔１５が設けられていて、白鍵ユニット１０の鍵支持部１３が鍵取付部２２Ａと黒鍵ユニット１１の鍵支持部１３との間に挟まれて固定されている。これにより、このボス２１に嵌合孔１５を挿入するだけで、簡単に白鍵ユニット１０の鍵フレーム２０に対する位置決めを行うことができるため、取付作業が容易となる。上記位置決めは、３つの鍵ユニット１０、１１を鍵並び方向Ｙ３に対して位置をそろえて、鍵フレーム２０に固定するための前工程にとどめる方がよい。なぜなら、前後方向Ｙ１の位置決めは、位置決め凸部１３Ｄ、位置決め凹部１３Ｅによってなされているからである。あるいは、この位置決めは、位置決め凸部１３Ｄ、位置決め凹部１３Ｅの嵌合をクリアランスを設ける等してあまくして、前後方向Ｙ１及び鍵並び方向Ｙ３共にボス２１と嵌合孔１５とに託してもよい。さらに、ネジＮの長さも短くすることができるため、ネジＮの共通化して、生産効率の向上を図ることができる。また、鍵フレーム２０がそのまま楽器ケースになっている場合、これまで外見上の難点であったボス２１を鍵支持部１３で隠すことができるため、すっきりとした形状となりデザインの自由度を向上させることができる。
【００４１】
また、上述した鍵盤装置１００によれば、第２補強リブ２４が互いに隣り合う白鍵ユニット１０、１０間の鍵支持部１３及び接続部１４間に生じる隙間Ｓに配置されるので、第２補強リブ２４が鍵取付部２２Ａの下側に突出することがない。このため、鍵取付部２２Ａの下側に第２補強リブ２４が突起することがないので、アフタタッチセンサ６０を設けることができたり、質量体４１の揺動範囲を大きくしたりと、鍵取付部２２Ａの下側のスペースを有効に使うことができる。
【００４２】
また、上述した鍵盤装置１００によれば、鍵本体１２のパネル３０に覆われている部分に切欠部１２Ｅ、１２Ｆを設けて、隙間Ｓを前後方向Ｙ１の演奏者側に延長して、第２補強リブ２４を切欠部１２Ｅ、１２Ｆにより設けられた隙間Ｓにも配置されるように設けているので、第２補強リブ２４を大きくすることができ、より一層、鍵取付部２２Ａの補強を強化することができる。
【００４３】
なお、上述した第１実施形態では、一つの鍵支持部１３に対して複数の鍵本体１２が設けられていたが、本発明はこれに限ったものではない。例えば、図４に示すように、一つの鍵支持部１３に対して一つの鍵本体１２が設けられたものに適用することも考えられる。この場合も、鍵並び方向Ｙ３に隣り合う白鍵ユニット１０、１０間の鍵支持部１３、接続部１４及び鍵本体１２間に生じる隙間Ｓに第２補強リブ２４を配置することができる。
【００４４】
また、上述した第１実施形態では、鍵本体１２の下側には第２補強リブ２４を設けていなかったが、本発明はこれに限ったものではない。例えば、図５に示すように、鍵本体１２の下側にも第２補強リブ２４を設けて、より一層、鍵取付部２２Ａの強化を図ってもよい。
【００４５】
また、上述した第１実施形態では、鍵本体１２に切欠部１２Ｅ、１２Ｆを設けて、切欠部１２Ｅ、１２Ｆによって生じる隙間Ｓにも第２補強リブ２４を配置していたが、本発明はこれに限ったものではない。鍵取付部２２Ａの強度に問題がなければ、図６及び図７に示すように、鍵本体１２に切欠部１２Ｅ、１２Ｆを設けずに、鍵支持部１３及び接続部１４間に生じる隙間Ｓのみに第２補強リブ２４を配置するようにしてもよい。
【００４６】
また、上述した第１実施形態では、鍵並び方向Ｙ３に隣り合う白鍵ユニット１０、１０間の鍵支持部１３、接続部１４及び鍵本体１２間に生じる隙間Ｓに第２補強リブ２４を配置していたが、本発明はこれに限ったものではない。例えば、図８に示すように、上面部２２の鍵取付部２２Ａよりも前後方向Ｙ１の演奏者から離れた側に第２補強リブ２４を設けることも考えられる。ただし、この場合、第２補強リブ２４の下にストッパＳＤを設けるものとする。
【００４７】
なお、上述した第１実施形態では、鍵取付部２２Ａの下側に、アフタタッチセンサ６０を設けたり、質量体４１を設けたりして鍵取付部２２Ａの下側のスペースを有効に使っていたが、本発明はこれに限ったものではない。例えば、後述する第２実施形態のように、鍵取付部２２Ａの下側にスピーカＳＰ等の各種機能部品を配置して、鍵取付部２２Ａの下側のスペースを有効に使ってもよい。
【００４８】
第２実施形態
次に、本発明の第２実施形態について図面を参照して説明する。図９は、本発明の鍵盤装置１００の第２実施形態を示す断面図である。図１０（Ａ）は、図９に示す鍵盤装置１００を構成する黒鍵ユニット１１の部分上面図であり、図１０（Ｂ）は、図９に示す鍵盤装置１００を構成する黒鍵ユニット１１及び鍵フレーム２０の部分上面図である。なお、図９及び図１０において、図１〜図３について上述した第１実施形態で説明した鍵盤装置１００と同等の部分は同一符号を付してその詳細な説明を省略する。
【００４９】
鍵盤装置１００は、白鍵ユニット１０及び黒鍵ユニット１１と、鍵フレーム２０と、を備えている。第２実施形態において、第１実施形態と大きく異なる点は、ハンマーユニット４０を備えていない点である。白鍵ユニット１０及び黒鍵ユニット１１は、第１実施形態と同様に、鍵本体１２と、鍵支持部１３と、接続部１４とが樹脂で一体に設けられている。なお、この第２実施形態における接続部１４は、鍵本体１２よりも幅の広い水平な幅広部１４Ａと、この幅広部１４Ａの両端に繋がる平板状の一対の肉薄ヒンジ部１４Ｂとで構成されており、この一対の肉薄ヒンジ部１４Ｂの他端が鍵支持部１３に繋がっている。これにより、鍵本体１２は左右方向への振れが規制され、鍵本体１２は、所謂鍵ガイドがなくても、あたかも鍵ガイドがあるが如く一定位置で上下揺動可能になる。なお、図１０では図面を解りやすくするために、一つの白鍵ユニット１０についてしか接続部１４の構造を示していないが、他の白鍵ユニット１０及び黒鍵ユニット１１についても同様である。
【００５０】
鍵本体１２は、押離鍵方向Ｙ２下側に向かって突出する脚部１２Ｃと、脚部１２Ｃの押離鍵方向Ｙ２下側の端部に設けられた前後方向Ｙ１の演奏者から離れた側に向かって突出するストッパ片１２Ｄとが設けられている。鍵本体１２の押鍵時には脚部１２Ｃの下側が鍵フレーム２０に設けたストッパ部材ＳＤ（フェルト等）に当接し、鍵本体１２の離鍵時にはストッパ片１２Ｄの上側が鍵フレーム２０に設けたストッパ部材ＳＵに当接して、鍵本体１２の揺動範囲が規制される。
【００５１】
上記黒鍵ユニット１１の鍵支持部１３は、前後方向Ｙ１の演奏者側の端部に設けられた押離鍵方向Ｙ２の下側に向かって突出するアーム部１３Ａ（図１０（Ａ）参照）と、アーム部１３Ａの押離鍵方向Ｙ２の下側の端部に設けられた前後方向Ｙ１の演奏者側に向かって突出する係合部としての第１係合部１３Ｂとが設けられている。上記アーム部１３Ａ及び第１係合部１３Ｂは、鍵取付部２２Ａ上に互いに重ねて取り付けられる複数の鍵ユニット１０、１１の鍵支持部１３のうち最上位に重ねられた鍵支持部１３に設けられている。なお、アーム部１３Ａは、２つの白鍵ユニット１０の鍵支持部１３の上側に黒鍵ユニット１１の鍵支持部１３を重ねた状態で、押離鍵方向Ｙ２下側の先端が上面部２２の鍵取付部２２Ａよりも上側に位置するように設けられている（図９参照）。
【００５２】
上記鍵フレーム２０は、上面部２２と、第１補強リブ２３と、前方部２５と、第３補強リブ２６と、後壁部２７と、基板取付部２８とが樹脂で一体に設けられている。上面部２２、前方部２５及び第３補強リブ２６は、第１実施形態とほぼ同様のためここでは詳細な説明は省略する。第１補強リブ２３は、上面部２２及び基板取付部２８の押離鍵方向Ｙ２の下側に設けられ、これらを補強する。
【００５３】
上記後壁部２７は、前後方向Ｙ１に対して略垂直な板状に設けられていて、上面部２２の前後方向Ｙ１の演奏者から離れた側に設けられている。また、後壁部２７の第１係合部１３Ｂと対向する部分２７１は、押離鍵方向Ｙ２の上側の端部が上面部２２から少し突出した鍵取付部２２Ａよりも上側に突出するように設けられていて、その上側端部には前後方向Ｙ１の演奏者側に向かって突出する係合部としての第２係合部２７Ａが設けられている。また、上面部２２の第２係合部２７Ａと対向する部分には第２係合部２７Ａのアンダーカット回避用の孔２２Ｃが設けられている。なお、この孔２２Ｃは、第１係合部１３Ｂと第２係合部２７Ａとを係合させる際に上面部２２と第１係合部１３Ｂとが干渉しないようにも作用する。なお、黒鍵ユニット１１のアーム部１３Ａ及び第１係合部１３Ｂは、１オクターブ分の１つの鍵ユニットに対してＣ♯鍵とＡ♯鍵に対応する２カ所に設けられ、鍵フレーム２０側の第２係合部２７Ａもそれぞれ第１係合部１３Ｂに対応する位置に設けられている。図９に示す実施形態では、第１係合部１３Ｂが係合する第２係合部２７Ａは、後壁部２７から突出された接片で形成して、接片同士を当接させるようにしたが、本発明はこれに限ったものではない。例えば、図１１に示すように、第２係合部２７Ａを透孔２７Ａ１を有した係合部として形成し、この透孔２７Ａ１に圧入構造に形成された第１係合部１３Ｂを圧入させてもよい。上記第１係合部１３Ａの圧入構造とは第２係合部２７Ａに設けた透孔２７Ａ１に圧入できる構造であり、図１１に示す実施形態では棒状に設けられていて、その先端部に先端に向かうに従って細くなるテーパが設けられている。また、図１１に示す実施形態では、第２係合部２７Ａに透孔２７Ａ１を設けていたが、この透孔２７Ａ１の代わりに凹部を設けて、この凹部に第１係合部１３Ａを圧入させるようにしてもよい。
【００５４】
上記基板取付部２８は、上面部２２と前方部２５との間に設けられている。基板取付部２８は、上面部２２よりも下側に設けられていて、鍵スイッチ５０Ａが搭載されている基板５０が取り付けられている。
【００５５】
次に、上述した構成の鍵盤装置１００において、鍵ユニット１０、１１の鍵フレーム２０への取り付けについて説明する。まず、鍵フレーム２０に設けたボス２１に、２つの白鍵ユニット１０の鍵支持部１３に設けた嵌合孔１５をこの順で挿入する。また、黒鍵ユニット１１の鍵支持部１３に設けた第１係合部１３Ｂと後壁部２７に設けた第２係合部２７Ａとを係合して、黒鍵ユニット１１を鍵フレーム２０に仮止めする。この仮止め状態で、黒鍵ユニット１１の鍵支持部１３に設けた第１ネジ孔１６と、ボス２１に設けた第２ネジ孔２１Ａとが重なる。次に、ネジＮを第１ネジ孔１６及び第２ネジ孔２１Ａの両方に挿入して、鍵ユニット１０、１１を鍵フレーム２０に固着する。
【００５６】
上述した第２実施形態によれば、鍵支持部１３に設けた第１係合部１３Ｂ及び鍵フレーム２０に設けた第２係合部２７Ａが、鍵取付部２２Ａよりも上側に設けられているので、鍵取付部２２Ａの下側に鍵支持部１３の第１係合部１３Ｂが位置することがない。このため、鍵取付部２２Ａの下側に第１係合部１３Ｂが突起することがないので、鍵取付部２２Ａの下側にスピーカＳＰ等の各種機能部品を配置することができる。
【００５７】
また、上述した第２実施形態によれば、鍵支持部１３に設けた第１係合部１３Ｂと鍵フレーム２０に設けた第２係合部２７Ａとを係合して、黒鍵ユニット１１を鍵フレーム２０に仮止めすることができ、取付作業を容易に行うことができる。
【００５８】
なお、上述した第２実施形態では、鍵取付部２２Ａの下側にスピーカＳＰ等の各種機能部品を配置して、鍵取付部２２Ａの下側のスペースを有効に使っていたが、本発明はこれに限ったものではない。例えば、第１実施形態と同様に、鍵取付部２２Ａの下側にアフタタッチセンサ６０や質量体４１を設けて、鍵取付部２２Ａの下側のスペースを有効に使うようにしてもよい。
【００５９】
また、上述した第１及び第２実施形態では、白鍵ユニット１０の鍵支持部１３に嵌合孔１５を設けて、嵌合孔１５にボス２１を嵌合させていたが、本発明はこれに限ったものではない。例えば、図１１に示すように、鍵支持部１３にネジ挿入孔（バカ孔）１６´をそれぞれ設けて、ボス２１の上に２つの白鍵ユニット１０と黒鍵ユニット１１とを図のように順番に前記ネジ挿入孔１６´にネジＮを挿入し、ネジ孔２１Ａに対して螺合して鍵取付部２２Ａに固着するようにしてもよい。この場合は鍵フレーム２０に対する鍵ユニット１０、１１の位置決めは透孔２７Ａ１と第１係合部１３Ｂの突起となる。
【００６０】
また、第１及び第２実施形態では、固定手段としてネジＮを用いていたが、本発明はこれに限ったものではない。例えば、固定手段としては、鍵支持部１３に設けた第１孔（第１ネジ孔）、鍵取付部２２Ａに設けた第２孔（第２ネジ孔）の両方に圧入して、鍵支持部１３と鍵取付部２２Ａとを固着できるものであってもよい。
【００６１】
また、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００６２】
【図１】本発明の鍵盤装置の第１実施形態を示す断面図である。
【図２】図１に示す鍵盤装置のパネルを除いた状態での上面図である。
【図３】図１に示す鍵盤装置の鍵支持部及び鍵取付部付近の部分拡大図である。
【図４】他の実施形態における鍵盤装置のパネルを除いた状態での上面図である。
【図５】他の実施形態における鍵盤装置の部分断面図である。
【図６】他の実施形態における鍵盤装置のパネルを除いた状態での上面図である。
【図７】他の実施形態における鍵盤装置のパネルを除いた状態での上面図である。
【図８】他の実施形態における鍵盤装置の断面図である。
【図９】本発明の鍵盤装置の第２実施形態を示す断面図である。
【図１０】（Ａ）は図９に示す鍵盤装置を構成する黒鍵ユニット１１の部分上面図であり、（Ｂ）は図９に示す鍵盤装置を構成する黒鍵ユニット及び鍵フレームの部分上面図である。
【図１１】他の実施形態における鍵盤装置の鍵支持部及び鍵取付部付近の部分拡大図である。
【図１２】従来の鍵盤装置の一例を示す部分断面図である。
【符号の説明】
【００６３】
１０…白鍵ユニット（鍵ユニット）、１１…黒鍵ユニット（鍵ユニット）、１２…鍵本体、１３…鍵支持部、１３Ｂ…第１係合部（係合部）、１４…接続部、１６…第１ネジ孔（第１孔）、２０…鍵フレーム、２１…ボス（突起）、２１Ａ…第２ネジ孔（第２孔）、２２…上面部（鍵フレーム）、２２Ａ…鍵取付部、２４…第２補強リブ（補強リブ）、２７Ａ…第２係合部（係合部）、１００…鍵盤装置、Ｎ…ネジ（固着手段）、Ｓ…隙間、Ｙ２…押離鍵方向、Ｙ３…鍵並び方向
【図１】
2009014817.tif 000003
【図２】
2009014817.tif 000004
【図３】
2009014817.tif 000005
【図４】
2009014817.tif 000006
【図５】
2009014817.tif 000007
【図６】
2009014817.tif 000008
【図７】
2009014817.tif 000009
【図８】
2009014817.tif 000010
【図９】
2009014817.tif 000011
【図１０】
2009014817.tif 000012
【図１１】
2009014817.tif 000013
【図１２】
2009014817.tif 000014